(57)【要約】【課題】    本発明は連続番号からなる冊子番号が付与されるＩＣ付き冊子の補冊データ作成方法、作成システム及び作成プログラムに関する。【解決手段】  印刷冊子番号補冊データ生成部によって印刷冊子番号補冊データを生成する工程と、穿孔冊子番号補冊データ生成部によって穿孔冊子番号補冊データを生成する工程と、ＩＣ冊子番号補冊データ生成部によってＩＣ冊子番号補冊データを生成する工程と、工程補冊冊子があった場合に工程冊子番号補冊データ生成部によって工程冊子番号補冊データを生成する工程と、これらの補冊データを補冊データ生成部で合成する工程によって補冊データを得る。【選択図】  図２
2008059495.tif 000002
【特許請求の範囲】
【請求項１】
連続番号からなる冊子番号が付与されるＩＣ付き冊子の補冊データ作成方法において、
冊子番号指示部からの生産対象冊子番号データを冊子番号印字部に送信する工程と、
前記送信された生産対象冊子番号データから冊子番号印字部によって前記ＩＣ付き冊子に印刷冊子番号を印字する工程と、
印刷冊子番号読取部によって印刷冊子番号を読み取る工程と、
前記読み取られた前記印刷冊子番号があらかじめ定められた第１の基準データと比較して正しく印刷されているかを印刷冊子番号判断部によって判断する工程と、
前記印刷冊子番号が正しく印刷されていない場合に、印刷冊子番号補冊データ生成部によって印刷冊子番号補冊データを生成する工程と、
冊子番号指示部からの生産対象冊子番号データを冊子番号穿孔部に送信する工程と、
前記送信された生産対象冊子番号データから冊子番号穿孔部によって前記ＩＣ付き冊子に穿孔冊子番号を形成する工程と、
穿孔冊子番号読取部によって穿孔冊子番号を読み取る工程と、
前記読み取られた前記穿孔冊子番号があらかじめ定められた第２の基準データと比較して正しく形成されているかを穿孔冊子番号判断部によって判断する工程と、
前記穿孔冊子番号が正しく印刷されていない場合に、穿孔冊子番号補冊データ生成部によって穿孔冊子番号補冊データを生成する工程と、
冊子番号指示部からの生産対象冊子番号データをＩＣ書込読取部に送信する工程と、
前記送信された生産対象冊子番号データからＩＣ書込読取部によって前記ＩＣ付き冊子の前記ＩＣにＩＣ冊子番号を書き込む工程と、
前記ＩＣ書込読取部によって前記書き込まれたＩＣ冊子番号を読み取る工程と、
前記読み取られたＩＣ冊子番号が前記生産対象冊子番号データと比較して正しく形成されているかをＩＣ冊子番号判断部によって判断する工程と、
前記ＩＣ冊子番号が正しく形成されていない場合に、ＩＣ冊子番号補冊データ生成部によってＩＣ冊子番号補冊データを生成する工程と、
工程補冊冊子があった場合に工程冊子番号補冊データ生成部によって工程冊子番号補冊データを生成する工程と、
補冊データ生成部によって、前記印刷冊子番号補冊データ、前記穿孔冊子番号補冊データ、前記ＩＣ冊子番号補冊データ及び前記工程冊子番号補冊データを合成して、補冊データを作成する、連続番号からなる冊子番号が付与されるＩＣ付き冊子の補冊データ作成方法。
【請求項２】
前記工程冊子番号補冊データ生成部は、生産対象冊子番号データ読取部によって、冊子番号指示部からの生産対象冊子番号データを読み取る工程と、
前記読み取られた生産対象冊子番号データから工程補冊冊子番号を冊子番号選択部によって選択する工程によって前記工程冊子番号補冊データが作成される、請求項１記載の連続番号からなる冊子番号が付与されるＩＣ付き冊子の補冊データ作成方法。
【請求項３】
連続番号からなる冊子番号が付与されるＩＣ付き冊子の補冊データ作成システムにおいて、
生産対象冊子番号データを冊子番号印字装置、冊子番号穿孔装置及びＩＣ書込読取装置に送信する冊子番号指示部と、
前記送信された生産対象冊子番号データを基に前記ＩＣ付き冊子に印刷冊子番号を印字する冊子番号印字装置と、
前記印刷された印刷冊子番号を読み取る印刷冊子番号読取装置と、
前記読み取られた前記印刷冊子番号があらかじめ定められた第１の基準データと比較して正しく印刷されているかを判断する印刷冊子番号判断部と、
前記印刷冊子番号が正しく印刷されていない場合に、印刷冊子番号補冊データを生成する印刷冊子番号補冊データ生成部と、
前記送信された生産対象冊子番号データをもとに前記ＩＣ付き冊子に穿孔冊子番号を形成する冊子番号穿孔装置と、
前記形成された穿孔冊子番号を読み取る穿孔冊子番号読取装置と、
前記読み取られた前記穿孔冊子番号があらかじめ定められた第２の基準データと比較して正しく形成されているかを判断する穿孔冊子番号判断部と、
前記穿孔冊子番号が正しく印刷されていない場合に、穿孔冊子番号補冊データを生成する穿孔冊子番号補冊データ生成部と、
前記送信された生産対象冊子番号データから前記ＩＣ付き冊子の前記ＩＣにＩＣ冊子番号を書き込み、前記書き込まれたＩＣ冊子番号を読み取るＩＣ書込読取装置と、
前記読み取られたＩＣ冊子番号が前記生産対象冊子番号データと比較して正しく形成されているかを判断するＩＣ冊子番号判断部と、
前記ＩＣ冊子番号が正しく形成されていない場合に、ＩＣ冊子番号補冊データを生成するＩＣ冊子番号補冊データ生成部と、
工程補冊冊子があった場合に工程冊子番号補冊データを生成する工程冊子番号補冊データ生成部と、
前記印刷冊子番号補冊データ、前記穿孔冊子番号補冊データ、前記ＩＣ冊子番号補冊データ及び前記工程冊子番号補冊データを合成して補冊データを生成する補冊データ生成部とを有する、連続番号からなる冊子番号が付与されるＩＣ付き冊子の補冊データ作成システム。
【請求項４】
前記工程冊子番号補冊データ生成部は、冊子番号指示部からの生産対象冊子番号データを読み取る生産対象冊子番号データ読取部と、
前記読み取られた生産対象冊子番号データから工程補冊冊子番号を選択して前記工程冊子番号補冊データが得られる冊子番号選択部を有する、請求項３記載の連続番号からなる冊子番号が付与されるＩＣ付き冊子の補冊データ作成システム。
【請求項５】
連続番号からなる冊子番号が付与されるＩＣ付き冊子の補冊データ作成プログラムにおいて、
冊子番号指示部からの生産対象冊子番号データを冊子番号印字部に送信するステップと、
前記送信された生産対象冊子番号データから冊子番号印字部によって前記ＩＣ付き冊子に印刷冊子番号を印字するステップと、
印刷冊子番号読取部によって印刷冊子番号を読み取るステップと、
前記読み取られた前記印刷冊子番号があらかじめ定められた第１の基準データと比較して正しく印刷されているかを印刷冊子番号判断部によって判断するステップと、
前記印刷冊子番号が正しく印刷されていない場合に、印刷冊子番号補冊データ生成部によって印刷冊子番号補冊データを生成するステップと、
冊子番号指示部からの生産対象冊子番号データを冊子番号穿孔部に送信するステップと、
前記送信された生産対象冊子番号データから冊子番号穿孔部によって前記ＩＣ付き冊子に穿孔冊子番号を形成するステップと、
穿孔冊子番号読取部によって穿孔冊子番号を読み取るステップと、
前記読み取られた前記穿孔冊子番号があらかじめ定められた第２の基準データと比較して正しく形成されているかを穿孔冊子番号判断部によって判断するステップと、
前記穿孔冊子番号が正しく印刷されていない場合に、穿孔冊子番号補冊データ生成部によって穿孔冊子番号補冊データを生成するステップと、
冊子番号指示部からの生産対象冊子番号データをＩＣ書込読取部に送信するステップと、
前記送信された生産対象冊子番号データからＩＣ書込読取部によって前記ＩＣ付き冊子の前記ＩＣにＩＣ冊子番号を書き込むステップと、
前記ＩＣ書込読取部によって前記書き込まれたＩＣ冊子番号を読み取るステップと、
前記読み取られたＩＣ冊子番号が前記生産対象冊子番号データと比較して正しく形成されているかをＩＣ冊子番号判断部によって判断するステップと、
前記ＩＣ冊子番号が正しく形成されていない場合に、ＩＣ冊子番号補冊データ生成部によってＩＣ冊子番号補冊データを生成するステップと、
工程補冊冊子があった場合に工程冊子番号補冊データ生成部によって工程冊子番号補冊データを生成するステップと、
補冊データ生成部によって、前記印刷冊子番号補冊データ、前記穿孔冊子番号補冊データ、前記ＩＣ冊子番号補冊データ及び前記工程冊子番号補冊データを合成して、補冊データを生成するステップとから成る、連続番号からなる冊子番号が付与されるＩＣ付き冊子の補冊データ作成プログラム。
【請求項６】
前記工程冊子番号補冊データ生成部は、生産対象冊子番号データ読取部によって、冊子番号指示部からの生産対象冊子番号データを読み取るステップと、
前記読み取られた生産対象冊子番号データから工程補冊冊子番号を冊子番号選択部によって選択するステップによって前記工程冊子番号補冊データが作成される、請求項５記載の連続番号からなる冊子番号が付与されるＩＣ付き冊子の補冊データ作成プログラム。
【発明の詳細な説明】
【技術分野】
【０００１】
本発明は、連続番号からなる冊子番号が付与されるＩＣ付き冊子の補冊データ作成方法、作成システム及び作成プログラムに関するものである。
【０００２】
旅券、預貯金通帳などの冊子は、それぞれの冊子ごとに異なる冊子番号（旅券番号、通帳番号）が印刷されている。その番号は、一般的には冊子製造時に印刷機、プリンタによって連続番号で印刷される。これは、他人の冊子との差別化を図るために、冊子固有の冊子番号が印字される。
【０００３】
また、旅券、預貯金通帳などの冊子は、個人の身分を証明でき、かつ、様々な個人情報や履歴を書き込めるＩＣチップが冊子内に内蔵されたものがある。このようなＩＣ付き冊子は、冊子内のＩＣに書き込まれた情報を読取装置で読み取ることで真偽判別が行われている。
【０００４】
例えば、預金通帳のページ間に、無線ＩＣモジュールを配置して、これに携帯者の顔画像データなどを記憶させ、この顔画像データによって真偽判別する技術が開示されている（例えば、特許文献１参照）。
【０００５】
また、旅券、預貯金通帳などの冊子は、偽造されることを防ぐために特殊印刷、特殊加工を行っている。例えば、偽造者が容易に偽造できないようにレーザ加工機によってミクロン単位の複数の微細な穿孔群によって情報を形成している。
【０００６】
このようにＩＣチップ内の冊子番号が書き込まれ、肉眼で識別できる冊子番号が印字され、複数の微細な穿孔群によって冊子番号が形成されたそれぞれの情報は、同一の情報にすることによって、冊子作製上の工程管理が可能となり、また、機械読取での真偽判別、目視での真偽判別を行う窓口業務者が容易に真偽判別することが可能となる。
【０００７】
このようなことから、冊子ごと連続した冊子番号を付与しなければならないため、印刷冊子番号の印字不良、微細な穿孔群で形成される穿孔冊子番号の加工不良、冊子内に組み込まれたＩＣモジュールのＩＣ冊子番号の通信不良、搬送中に生じる冊子の折れや汚れ、人為的なミス等の工程不良による冊子が発生した場合に、不良と判断された冊子番号の冊子を再度、補冊する必要があった。
【０００８】
連続番号を付与する媒体を補刷する技術として、例えば、あらかじめ必要な番号を番号選択指示装置に設定しておき、ここから印刷すべき番号を番号器に入力し、この番号器にて自動的に各ホイールの回転位置を決め、インク転写印刷装置により金券等の番号選択指示装置から指示された番号を印刷することで金券等のシート状部材に対して、欠番などで生じた任意の番号を印刷する際に、面倒な手間をかけることなく、容易に補刷できるようにする技術が開示されている（特許文献２）。
【０００９】
印刷冊子番号の印字不良、微細な穿孔群で形成される穿孔冊子番号の加工不良、冊子内に組み込まれたＩＣモジュールのＩＣ冊子番号の通信不良等は、検査装置で不良品か、良品かを判別し、不良品については自動的に補冊データに冊子番号が登録され、不良と判断した冊子番号の冊子が補冊される。
【００１０】
しかしながら、搬送上の生じる冊子の折れや汚れ、人為的なミス等の工程不良による冊子は、検査装置で不良品か、良品かを判別できないことから、人為的に目視判別する必要があった。さらには、不良品の冊子番号を集約した補冊データを、人為的に追加入力する必要があった。
【００１１】
このため、コンピュータのキーボード等から直接、補冊する冊子番号を入力するか、もしくは、大量の生産対象冊子番号データからキー操作で不要なデータを削除して工程冊子番号補冊データを生成し、補冊データに追加する必要があった。
【００１２】
【特許文献１】特開平１０−２０３０５１号公報（第１−７頁、第１−５図）
【特許文献２】特開２００２−１９２８２１号公報（第１−３頁、第１図）
【発明の開示】
【発明が解決しようとする課題】
【００１３】
特開２００２−１９２８２１号公報は、金券等の番号を補刷する技術であるため、検査装置で不良品と判断された冊子の冊子番号が自動的に補冊データに登録され、更に、人為的に不良品と判断された冊子の冊子番号が自動的に補冊データに登録され、冊子の補冊を行うことは不可能であった。
【００１４】
また、上記記載の補冊する冊子番号を入力する場合は、誤入力、作業の非効率性という問題が生じ、生産対象冊子番号データを加工して補冊データに追加する場合は、大量の生産対象冊子番号データをエディタで開いて、補冊する冊子番号を目視で探し、選択し、削除し、補冊データに上書き保存する必要があったため、一つ一つ手作業で削除するため、キー操作を間違ってしまい、余分なデータを削除してしまう問題があった。また、生産対象冊子番号データを操作している最中に、余計なコード（文字コード、スペース、リターン等）を誤入力してしまいプログラムが動かなくなる問題があった。
【００１５】
本発明者らは、このような問題点を鑑みて鋭意研究した結果、検査装置で不良品と判断した冊子の冊子番号が自動的に補冊データに登録され、更に、人為的に不良品と判断した冊子の冊子番号が自動的に補冊データに登録することで、得られた補冊データから連続番号からなる冊子番号が付与されるＩＣ付き冊子の補冊が可能になることを見出した。
【００１６】
本発明は前述した問題点を解決することを目的としたもので、検査装置での補冊データと、人為的に不良品と判断された冊子の補冊データを別々に持つことなく、従来のようなキー操作ミスによる誤入力が軽減でき、作業の効率を図ることが可能な連続番号からなる冊子番号が付与されるＩＣ付き冊子の補冊データ作成方法、作成システム及び作成プログラムを提案するものである。
【課題を解決するための手段】
【００１７】
本発明は、連続番号からなる冊子番号が付与されるＩＣ付き冊子の補冊データ作成方法において、冊子番号指示部からの生産対象冊子番号データを、冊子番号印字部に送信する工程と、前記送信された生産対象冊子番号データから、冊子番号印字装置によって前記ＩＣ付き冊子に印刷冊子番号を印字する工程と、印刷冊子番号読取装置によって印刷冊子番号を読み取る工程と、前記読み取られた前記印刷冊子番号が、あらかじめ定められた第１の基準データと比較して、正しく印刷されているかを印刷冊子番号判断部によって判断する工程と、前記印刷冊子番号が正しく印刷されていない場合に、印刷冊子番号補冊データ生成部によって印刷冊子番号補冊データを生成する工程と、冊子番号指示部からの生産対象冊子番号データを、冊子番号穿孔部に送信する工程と、前記送信された生産対象冊子番号データから、冊子番号穿孔部によって前記ＩＣ付き冊子に穿孔冊子番号を形成する工程と、穿孔冊子番号読取部によって穿孔冊子番号を読み取る工程と、前記読み取られた前記穿孔冊子番号が、あらかじめ定められた第２の基準データと比較して、正しく形成されているかを穿孔冊子番号判断部によって判断する工程と、前記穿孔冊子番号が正しく形成されていない場合に、穿孔冊子番号補冊データ生成部によって穿孔冊子番号補冊データを生成する工程と、冊子番号指示部からの生産対象冊子番号データを、ＩＣ書込読取部に送信する工程と、前記送信された生産対象冊子番号データから、ＩＣ書込読取部によって前記ＩＣ付き冊子の前記ＩＣにＩＣ冊子番号を書き込む工程と、前記ＩＣ書込読取部によって前記書き込んだＩＣ冊子番号を読み取る工程と、前記読み取られたＩＣ冊子番号が、前記生産対象冊子番号データと比較して、正しく形成されているかをＩＣ冊子番号判断部によって判断する工程と、前記ＩＣ冊子番号が正しく形成されていない場合に、ＩＣ冊子番号補冊データ生成部によってＩＣ冊子番号補冊データを生成する工程と、工程補冊冊子があった場合に、工程冊子番号補冊データ生成部によって工程冊子番号補冊データを生成する工程と、補冊データ生成部によって、前記印刷冊子番号補冊データ、前記穿孔冊子番号補冊データ、前記ＩＣ冊子番号補冊データ及び前記工程冊子番号補冊データを合成して、補冊データを作成する、連続番号からなる冊子番号が付与されるＩＣ付き冊子の補冊データ作成方法である。
【００１８】
また、本発明の前記工程冊子番号補冊データ生成部は、生産対象冊子番号データ読取部によって、冊子番号指示部からの生産対象冊子番号データを読み取る工程と、前記読み取られた生産対象冊子番号データから、工程補冊冊子番号を冊子番号選択部によって選択する工程によって前記工程冊子番号補冊データを作成する連続番号からなる冊子番号が付与されるＩＣ付き冊子の補冊データ作成方法である。
【００１９】
また、本発明は、連続番号からなる冊子番号が付与されるＩＣ付き冊子の補冊データ作成システムにおいて、生産対象冊子番号データを冊子番号印字装置、冊子番号穿孔装置及びＩＣ書込読取装置に送信する冊子番号指示部と、前記送信された生産対象冊子番号データを基に、前記ＩＣ付き冊子に印刷冊子番号を印字する冊子番号印字装置と、前記印刷された印刷冊子番号を読み取る印刷冊子番号読取装置と、前記読み取られた前記印刷冊子番号が、あらかじめ定められた第１の基準データと比較して、正しく印刷されているかを判断する印刷冊子番号判断部と、前記印刷冊子番号が正しく印刷されていない場合に、印刷冊子番号補冊データを生成する印刷冊子番号補冊データ生成部と、前記送信された生産対象冊子番号データを基に、前記ＩＣ付き冊子に穿孔冊子番号を形成する冊子番号穿孔装置と、前記形成された穿孔冊子番号を読み取る穿孔冊子番号読取装置と、前記読み取られた前記穿孔冊子番号が、あらかじめ定められた第２の基準データと比較して、正しく形成されているかを判断する穿孔冊子番号判断部と、前記穿孔冊子番号が正しく形成されていない場合に、穿孔冊子番号補冊データを生成する穿孔冊子番号補冊データ生成部と、前記送信した生産対象冊子番号データから、前記ＩＣ付き冊子の前記ＩＣにＩＣ冊子番号を書き込み、前記書き込まれたＩＣ冊子番号を読み取るＩＣ書込読取装置と、前記読み取られたＩＣ冊子番号が、前記生産対象冊子番号データと比較して、正しく形成されているかを判断するＩＣ冊子番号判断部と、前記ＩＣ冊子番号が正しく形成されていない場合に、ＩＣ冊子番号補冊データを生成するＩＣ冊子番号補冊データ生成部と、工程補冊冊子があった場合に、工程冊子番号補冊データを生成する工程冊子番号補冊データ生成部と、前記印刷冊子番号補冊データ、前記穿孔冊子番号補冊データ、前記ＩＣ冊子番号補冊データ及び前記工程冊子番号補冊データを合成して、補冊データを生成する補冊データ生成部を有する、連続番号からなる冊子番号が付与されるＩＣ付き冊子の補冊データ作成システムである。
【００２０】
また、本発明の前記工程冊子番号補冊データ生成部は、冊子番号指示部からの生産対象冊子番号データを読み取る生産対象冊子番号データ読取部と、前記読み取られた生産対象冊子番号データから工程補冊冊子番号を選択して、前記工程冊子番号補冊データが得られる冊子番号選択部を有する連続番号からなる冊子番号が付与されるＩＣ付き冊子の補冊データ作成システムである。
【００２１】
また、本発明の連続番号からなる冊子番号が付与されるＩＣ付き冊子の補冊データ作成プログラムにおいて、冊子番号指示部からの生産対象冊子番号データを、冊子番号印字部に送信するステップと、前記送信した生産対象冊子番号データから、冊子番号印字部によって前記ＩＣ付き冊子に印刷冊子番号を印字するステップと、印刷冊子番号読取部によって印刷冊子番号を読み取るステップと、前記読み取られた前記印刷冊子番号が、あらかじめ定められた第１の基準データと比較して、正しく印刷されているかを印刷冊子番号判断部によって判断するステップと、前記印刷冊子番号が正しく印刷されていない場合に、印刷冊子番号補冊データ生成部によって印刷冊子番号補冊データを生成するステップと、冊子番号指示部からの生産対象冊子番号データを、冊子番号穿孔部に送信するステップと、前記送信した生産対象冊子番号データから、冊子番号穿孔部によって前記ＩＣ付き冊子に穿孔冊子番号を形成するステップと、穿孔冊子番号読取部によって穿孔冊子番号を読み取るステップと、前記読み取られた前記穿孔冊子番号が、あらかじめ定められた第２の基準データと比較して、正しく形成されているかを穿孔冊子番号判断部によって判断するステップと、前記穿孔冊子番号が正しく印刷されていない場合に、穿孔冊子番号補冊データ生成部によって穿孔冊子番号補冊データを生成するステップと、冊子番号指示部からの生産対象冊子番号データを、ＩＣ書込読取部に送信するステップと、前記送信された生産対象冊子番号データから、ＩＣ書込読取部によって前記ＩＣ付き冊子の前記ＩＣにＩＣ冊子番号を書き込むステップと、前記ＩＣ書込読取部によって前記書き込まれたＩＣ冊子番号を読み取るステップと、前記読み取られたＩＣ冊子番号が、前記生産対象冊子番号データと比較して、正しく形成されているかをＩＣ冊子番号判断部によって判断するステップと、前記ＩＣ冊子番号が正しく形成されていない場合に、ＩＣ冊子番号補冊データ生成部によってＩＣ冊子番号補冊データを生成するステップと、工程補冊冊子があった場合に、工程冊子番号補冊データ生成部によって工程冊子番号補冊データを生成するステップと、補冊データ生成部によって、前記印刷冊子番号補冊データ、前記穿孔冊子番号補冊データ、前記ＩＣ冊子番号補冊データ及び前記工程冊子番号補冊データを合成して、補冊データを生成するステップとからなる、連続番号からなる冊子番号が付与されるＩＣ付き冊子の補冊データ作成プログラムである。
【００２２】
また、本発明の前記工程冊子番号補冊データ生成部は、生産対象冊子番号データ読取部によって、冊子番号指示部からの生産対象冊子番号データを読み取るステップと、前記読み取られた生産対象冊子番号データから、工程補冊冊子番号を冊子番号選択部によって選択するステップによって前記工程冊子番号補冊データを作成する連続番号からなる冊子番号が付与されるＩＣ付き冊子の補冊データ作成プログラムである。
【発明の効果】
【００２３】
検査装置での補冊データと人為的に不良品と判断された冊子の補冊データを合成することで、一括して補冊すべき冊子番号の補冊が可能になった。
【００２４】
人為的に不良品と判断した冊子の補冊データは、生産対象冊子番号データからコンピュータのマウス等で選択することで、誤入力を軽減できる。
【００２５】
冊子番号選択部は、コンピュータのマウス等で選択することで、生産対象冊子番号データファイル自体を操作することがないため、余計なコード（文字コード、スペース、リターン等）を誤入力することで、ファイルが動作しなくなるなどの問題を解消し、作業の利便性及び信頼性を十分に確保することを可能とした。
【００２６】
大量の生産対象冊子番号データから補冊すべきデータを選択する場合は冊子番号検索部によって容易に選択することが可能となる。
【発明を実施するための最良の形態】
【００２７】
本発明を実施するための最良の形態について図面を参照して説明する。しかしながら、本発明は以下に述べる実施するための最良の形態だけではなく、特許請求の範囲記載における技術的思想の範囲内であれば、その他のいろいろな実施の形態が含まれる。
【００２８】
図１に連続番号からなる冊子番号が付与されるＩＣ付き冊子１を示す。ＩＣ付き冊子１は、旅券、預貯金通帳などに用いられる。図１（ａ）に示すようにＩＣ付き冊子１は、データページ２に印刷冊子番号３が形成される。ここで言う、データページとは、表紙内側の見返し部分のことであって、個人情報等が記載される。データページには、秘匿情報、顔画像等を設けることができる。なお、印刷冊子番号３の形成位置は限定されるものではない。印刷冊子番号３は冊子番号印字装置によって形成される。印刷の手段は特に限定されるものではないが、インクジェット方式、熱転写方式又は静電転写方式が好ましい。なお、以下に説明する補冊データ作成方法等における印刷の手段も同様である。
【００２９】
中味用紙４の少なくとも１頁には穿孔冊子番号５が設けられる。穿孔冊子番号５の形成位置は、限定されるものではない。図１（ａ）に示すように穿孔冊子番号５は微細な穿孔６の群によって冊子番号が形成される。穿孔の形状は、図１（ａ）では円形の例を示したが、多角形、特殊形状等、特に限定されるものではない。また、穿孔の径は、８０〜１，０００μｍ程度が好ましい。さらに好ましくは穿孔の径は１００〜６００μｍ程度が好ましい。穿孔冊子番号５は冊子番号穿孔装置で形成される。冊子番号穿孔装置はレーザ加工部が備えられている。レーザ方式は炭酸ガスレーザ、ＹＡＧレーザ、エキシマレーザ等、特に限定されるものではない。なお、以下に説明する補冊データ作成システム、補冊データ作成方法におけるレーザ方式も同様である。
【００３０】
さらに、中味用紙の間にＩＣシート７が設けられる。ＩＣの付与位置及び付与方法については限定されるものではない。ＩＣシート７は、少なくとも、チップとアンテナとコアシートから成り、コアシートの全部又は一部は、ＰＥＴ又はＰＥＴ−Ｇから成る。ＩＣシート７は、中味用紙で狭持される。ＩＣは、ＩＣ書込読取装置によって冊子内のＩＣシート７にＩＣ冊子番号を書き込む。ＩＣは非接触方式、接触方式のどちらでも選択することができるが、ＩＣの種類によってＩＣ書込読取装置は、非接触方式、接触方式を選択する。
【００３１】
（補冊データ作成システム）
連続番号からなる冊子番号が付与されるＩＣ付き冊子の補冊データ作成システムについて説明する。図２に連続番号からなる冊子番号が付与されるＩＣ付き冊子の補冊データ作成システム１１ａを示す。図２に示すように補冊データ作成システム１１ａは、搬送手段１８によってＩＣ付き冊子１が搬送される。コンピュータ１２は、生産対象冊子番号データ２０１を冊子番号印字装置１３、冊子番号穿孔装置１５及びＩＣ書込読取装置１７に送信する冊子番号指示部１０１、印刷冊子番号を形成する印刷番号穿孔装置１３と、冊子番号印字装置１３で印刷された印刷冊子番号を読み取る印刷冊子番号読取装置１４によって読み取られた印刷冊子番号があらかじめ定められた第１の基準データと比較して、正しく印刷されているかを判断する印刷冊子番号判断部１０２、印刷冊子番号が正しく印刷されていない場合に、印刷冊子番号補冊データ２０２を生成する印刷冊子番号補冊データ生成部１０３と、穿孔冊子番号を形成する冊子番号穿孔装置１５と、形成された穿孔冊子番号を読み取る穿孔冊子番号読取装置１６によって、読み取られた穿孔冊子番号があらかじめ定められた第２の基準データと比較して、正しく形成されているかを判断する穿孔冊子番号判断部１０４と、穿孔冊子番号が正しく形成されていない場合に、穿孔冊子番号補冊データ２０３を生成する穿孔冊子番号補冊データ生成部１０５と、冊子内のＩＣシートにＩＣ冊子番号を書き込み、書き込まれたＩＣ冊子番号を読み取るＩＣ書込読取装置１７によって、読み取られたＩＣ冊子番号を生産対象冊子番号データ２０１と比較して、正しく書き込まれているかを判断するＩＣ冊子番号判断部１０６と、ＩＣ冊子番号が正しく書き込まれていない場合に、ＩＣ冊子番号補冊データ２０４を生成するＩＣ冊子番号補冊データ生成部１０７と、工程補冊冊子があった場合に工程冊子番号補冊データ２０５を生成する工程冊子番号補冊データ生成部１０８と、印刷冊子番号補冊データ２０２、穿孔冊子番号補冊データ２０３、ＩＣ冊子番号補冊データ２０４及び工程冊子番号補冊データ２０５を合成して補冊データ２０６を生成する補冊データ生成部１０９を有する。印刷冊子番号補冊データ２０２、穿孔冊子番号補冊データ２０３、ＩＣ冊子番号補冊データ２０４及び工程冊子番号補冊データ２０５は、最初に補冊データが発生した場合に、個々の冊子番号補冊データファイルが作成され、その後に補冊データをファイルに追記される。また、あらかじめ個々の冊子番号補冊データファイルを作成しておき、補冊データが発生した場合に追記する方式でもよい。
【００３２】
コンピュータ１２はブラウン管や液晶等のディスプレイから成る表示手段３０１、プログラム、データファイル等を一次保存するメモリ３０２、演算処理を行うＣＰＵ３０２、命令処理、工程冊子番号補冊データの選択、命令処理等を行うマウス３０４（ボタン等でも良い。）、工程冊子番号補冊データの検索、命令処理等を行うキーボード３０５、外部との情報のやり取り、バッファリング等を行うＩ／Ｏ部３０６、コンピュータと、冊子番号印字装置１３、印刷冊子番号読取装置１４、冊子番号穿孔装置１５、穿孔冊子番号読取装置１６及びＩＣ書込読取装置１７等と通受信を行う通信手段３０７、これらのＬＡＮ、ＷＡＮで接続され、通信方式は、ＲＳ−２３２Ｃ、ＩＥＥＥ１３９４等、特に限定されるものではない。また、外部記憶装置、プリンタ等の出力手段を設けても良い。
【００３３】
印刷冊子番号、穿孔冊子番号及びＩＣ冊子番号のＩＣ付き冊子へ付与及び形成する順番は、特に限定されるものではない。また、印刷冊子番号、穿孔冊子番号及びＩＣ冊子番号の読み取る順番は、特に限定されるものではない。さらに、印刷冊子番号補冊データファイル、穿孔冊子番号補冊データファイル及びＩＣ冊子番号補冊データファイルを生成する順番は、特に限定されるものではない。搬送ライン上では補冊対象となる冊子を検出次第、印刷冊子番号補冊データファイル、穿孔冊子番号補冊データファイル及びＩＣ冊子番号補冊データファイルに追記される。
【００３４】
また、データベース等のテキストデータファイルは、冊子の生産の対象となる生産対象冊子番号データ２０１、印刷冊子番号補冊データ２０２、穿孔冊子番号補冊データ２０３ 、ＩＣ冊子番号補冊データ２０４、工程冊子番号補冊データ２０５及び補冊データ２０６を有する。
【００３５】
コンピュータ１２は、パーソナル・コンピュータ、ワークステーション、サーバ等、特に限定されるものではない。なお、以下に説明する補冊データ作成方法におけるコンピュータも同様である。
【００３６】
冊子番号印字装置１３の印刷方式は限定されるものではないが、インクジェット方式、熱転写方式又は静電転写方式が好ましい。このときＩＣ付き冊子１は、データページと中身用紙が見開いた状態で搬送手段１８によって搬送され、冊子番号印字装置１３でＩＣ付き冊子１のデータページ２に印刷冊子番号３が印刷される。
【００３７】
印刷冊子番号読取装置１４は、白熱電球、ＬＥＤ等の光照射器、カメラを備えている。ＩＣ付き冊子１は、データページと中身用紙が見開いた状態で搬送手段１８によって搬送され、ＩＣ付き冊子１のデータページ２に光照射器によって光が照射され、カメラによって印刷冊子番号３の画像データを取得する。取得された印刷冊子番号の画像データはアナログ／デジタル変換され、印刷冊子番号のデジタル画像データとされ、印刷冊子番号のデジタル画像データは二値化処理され、二値化処理された印刷冊子番号のデジタル画像データと、あらかじめ定められた第１の基準データとを印刷冊子番号判断部１０２で比較して、ＯＣＲ適正及び連続番号適正の不良判定が行われる。
【００３８】
冊子番号穿孔装置１５は、レーザ加工部を備えている。このとき、ＩＣ付き冊子１は、データページと中身用紙が見開いた状態で搬送手段１８によって搬送され、冊子番号穿孔装置１５でＩＣ付き冊子１の少なくとも１頁以上の中身用紙４に微細な穿孔の群から成る穿孔冊子番号５が形成される。
【００３９】
穿孔冊子番号読取装置１６は、白熱電球、ＬＥＤ等の光照射器、カメラを備えている。ＩＣ付き冊子１は、データページと中身用紙が見開いた状態で搬送手段１８によって搬送され、ＩＣ付き冊子１の中身用紙４に光照射器によって光が照射され、カメラによって穿孔冊子番号５の画像データを取得する。取得された穿孔冊子番号の画像データはアナログ／デジタル変換され、穿孔冊子番号のデジタル画像データとされ、穿孔冊子番号のデジタル画像データを二値化処理され、二値化処理された穿孔冊子番号のデジタル画像データと、あらかじめ定められた第２の基準データとを、穿孔冊子番号判断部１０３でパターンマッチングを行い、穿孔が形成されているか判断する。ＯＣＲ適正及び連続番号適正の不良判定を行うこともできる。
【００４０】
ＩＣ書込読取装置１７は、冊子に付与されたＩＣの種類によってＩＣ書込読取装置の書き込み部及び読み取り部は、非接触方式、接触方式のどちらかを選択して使用する。ＩＣに書き込んだＩＣ冊子番号８はＩＣ書込読取装置１７によってＩＣ冊子番号８を読み取りＩＣ冊子番号判断部１０６で正しく読み取ることが可能であるか否か判断される。
【００４１】
工程冊子番号補冊データ生成部１０８は、図３（ａ）に示すような生産対象冊子番号データ読取部１０８−ａ、冊子番号選択部１０８−ｂによって工程冊子番号補冊データ２０５を生成することができる。生産対象冊子番号データ読取部１０８−ａで生産対象冊子番号データ２０１を読み取り、読み取られた生産対象冊子番号データ２０１は、冊子番号選択部１０８−ｂによって工程冊子番号補冊データ２０５を選択して生成する。図３（ｂ）に示すような生産対象冊子番号データ読取部１０８−ａ１、冊子番号検索部１０８-ａ２、検索結果表示部１０８−ａ３、冊子番号選択部１０８−ｂによって工程冊子番号補冊データ２０５を生成することもできる。生産対象冊子番号データ読取部１０８−ａ１で生産対象冊子番号データ２０１を読み取り、読み取られた生産対象冊子番号データ２０１は、冊子番号検索部１０８-ａ２によって工程冊子番号補冊データ２０５となる冊子番号を入力して検索し、検索結果が表示される検索結果表示部１０８−ａ３から冊子番号選択部１０８−ｂによって工程冊子番号補冊データ２０５を選択して生成する。
【００４２】
図３（ｂ）に示した工程冊子番号補冊データ２０５の生成は、例えば、図４（ａ）に示すようにコンピュータの表示画面で行うことができる。例えば冊子番号検索部以外はコンピュータのマウスで操作できるため誤入力を防ぐことができる。また、図４（ｂ）に示すような工程冊子番号補冊データ２０５の履歴データをコンピュータの表示画面で行うことができる。履歴データは表示する範囲の検索を行うことができる。処理履歴の記録をとることで、処理後に再確認の必要ある場合にも、生産対象冊子番号データを開けずに（誤操作の危険がある）処理した内容を確認できる。
【００４３】
旅券の場合は、このようなシステムで発給前の旅券冊子であるブランク冊子が製造される。この段階ではデータページに顔画像及び個人情報等を記載していない状態である。
【００４４】
（補冊データ作成システムの別の形態）
連続番号からなる冊子番号が付与されるＩＣ付き冊子の補冊データ作成システムの別の形態について説明する。図２に示した連続番号からなる冊子番号が付与されるＩＣ付き冊子の補冊データ作成システム１１ａは、コンピュータ１２で制御しているが、図５に示す補冊データ作成システム１１ｂは、コンピュータ１２ａの冊子番号指示部１０１は、冊子番号印字装置１３又はコンピュータ１２ｂのいずれか一方、冊子番号穿孔装置１５又はコンピュータ１２ｃのいずれか一方及びＩＣ書込読取装置１７又はコンピュータ１２ｄのいずれか一方に生産対象冊子番号データ２０１を送信する。生産対象冊子番号データ２０１がコンピュータ１２ｂに送信された場合、コンピュータ１２ｂは送信された生産対象冊子番号データ２０１を冊子番号印字装置１３に送信する。生産対象冊子番号データ２０１がコンピュータ１２ｃに送信された場合、コンピュータ１２ｃは送信された生産対象冊子番号データ２０１を冊子番号穿孔装置１５に送信する。生産対象冊子番号データ２０１がコンピュータ１２ｄに送信された場合、コンピュータ１２ｄは送信された生産対象冊子番号データ２０１をＩＣ書込読取装置１７に送信する。
【００４５】
コンピュータ１２ｂは印刷冊子番号読取装置１４によって、読み取られた印刷冊子番号があらかじめ定められた第１の基準データと比較して、正しく印刷されているかを判断する印刷冊子番号判断部１０２と、印刷冊子番号が正しく印刷されていない場合に、印刷冊子番号補冊データ２０２を生成する印刷冊子番号補冊データ生成部１０３を有する。印刷冊子番号補冊データ２０２はコンピュータ１２ａに送信する。
【００４６】
コンピュータ１２ｃは、穿孔冊子番号読取装置１６によって、読み取られた穿孔冊子番号があらかじめ定められた第２の基準データと比較して、正しく形成されているか判断する穿孔冊子番号判断部１０４と、穿孔冊子番号が正しく形成されていない場合に、穿孔冊子番号補冊データ２０３を生成する穿孔冊子番号補冊データ生成部１０５を有する。穿孔冊子番号補冊データ２０３はコンピュータ１２ａに送信する。
【００４７】
コンピュータ１２ｄは、ＩＣ書込読取装置１７によって、読み取ったＩＣ冊子番号が生産対象冊子番号データ２０１と比較して、正しく書き込まれているか判断するＩＣ冊子番号判断部１０６と、ＩＣ冊子番号が正しく書き込まれていない場合に、ＩＣ冊子番号補冊データ２０４を生成するＩＣ冊子番号補冊データ生成部１０７を有する。ＩＣ冊子番号補冊データ２０４はコンピュータ１２ａに送信する。
【００４８】
印刷冊子番号補冊データ２０２、穿孔冊子番号補冊データ２０３、ＩＣ冊子番号補冊データ２０４及び工程冊子番号補冊データ２０５は、最初に補冊データが発生した場合に、個々の冊子番号補冊データファイルが作成され、その後に補冊データはファイルに追記される。また、あらかじめ個々の冊子番号補冊データファイルを作成しておき、補冊データが発生した場合に追記する方式でもよい。
【００４９】
コンピュータ１２ａは、工程補冊冊子があった場合に工程冊子番号補冊データ２０５を生成する工程冊子番号補冊データ生成部１０８を有する。さらに、印刷冊子番号補冊データ２０２、穿孔冊子番号補冊データ２０３、ＩＣ冊子番号補冊データ２０４及び工程冊子番号補冊データ２０５を合成して補冊データ２０６を生成する補冊データ生成部１０９を有する。
【００５０】
なお、工程冊子番号補冊データ生成部１０８はコンピュータ１２ｅを設けて工程冊子番号補冊データ２０５を生成しても良い。この場合、生成された工程冊子番号補冊データ２０５は、コンピュータ１２ａに送信する（図示せず）。
【００５１】
印刷冊子番号、穿孔冊子番号及びＩＣ冊子番号のＩＣ付き冊子へ形成する順番は特に限定されるものではない。また、印刷冊子番号、穿孔冊子番号及びＩＣ冊子番号の読み取る順番は特に限定されるものではない。さらに、印刷冊子番号補冊データファイル、穿孔冊子番号補冊データファイル及びＩＣ冊子番号補冊データファイルを生成する順番は特に限定されるものではない。搬送ライン上では補冊対象となる冊子が検出され次第、印刷冊子番号補冊データファイル、穿孔冊子番号補冊データファイル及びＩＣ冊子番号補冊データファイルに追記される。
【００５２】
コンピュータ１２ａ、１２ｂ、１２ｃ、１２ｄ、１２ｅはブラウン管や液晶等のディスプレイからなる表示手段３０１、プログラム、データファイル等を一次保存するメモリ３０２、演算処理を行うＣＰＵ３０２、マウス３０４（ボタン等でも良い）、キーボード３０５、外部との情報のやり取り、バッファリング等を行うＩ／Ｏ部３０６、通信手段３０７を有する。これらはＬＡＮ、ＷＡＮで接続され、通信方式は、ＲＳ−２３２Ｃ、ＩＥＥＥ１３９４等、特に限定されるものではない。また、外部記憶装置、プリンタ等の出力手段を設けても良い。
【００５３】
（補冊データ作成方法）
連続番号からなる冊子番号が付与されるＩＣ付き冊子の補冊データ作成方法について説明する。補冊データ作成方法は、第１の工程で冊子番号指示部からの生産対象冊子番号データを冊子番号印字装置に送信する。生産対象冊子番号データはテキストデータであり、連続番号である冊子番号が保存されている。
【００５４】
第１の工程で送信した生産対象冊子番号データを、第２の工程で受信して冊子番号印字装置によって印刷冊子番号を印字する。
【００５５】
第２の工程で冊子に印字した印刷冊子番号は、第３の工程で印刷冊子番号読取装置によって印刷冊子番号を読み取る。印刷冊子番号読取装置は、光照射器とカメラを備えている。
【００５６】
第３の工程で読み取った印刷冊子番号は、二値化データに変換され、第４の工程であらかじめ定められた第１の基準データと比較して、正しく印刷されているかを印刷冊子番号判断部によって判断する。印刷冊子番号判断部は、印刷冊子番号がＯＣＲで読み取りが可能か否か、また、印刷冊子番号が連続番号であるため印刷冊子番号の連続性が保たれているか等の判断を行う。
【００５７】
第４の工程で印刷冊子番号が正しく印刷されていない場合に、第５の工程で印刷冊子番号補冊データ生成部によって印刷冊子番号補冊データを生成する。印刷冊子番号補冊データは冊子番号のテキストデータから成り、印刷冊子番号補冊データファイルを自動生成する。又は、あらかじめ定められた印刷冊子番号補冊データファイルに上書きされる。
【００５８】
第１の工程から第５の工程までによって印刷冊子番号の印刷冊子番号補冊データを生成する。
【００５９】
第６の工程で冊子番号指示部からの生産対象冊子番号データを冊子番号穿孔装置に送信する。生産対象冊子番号データはテキストデータであり、連続番号である冊子番号が保存されている。
【００６０】
第６の工程で送信された生産対象冊子番号データを、第７の工程で受信して冊子番号穿孔装置によって穿孔冊子番号を穿孔する。穿孔の形態については前述したとおりである。冊子番号穿孔装置はレーザ加工部を備えている。
【００６１】
第７の工程で冊子に穿孔された穿孔冊子番号は、第８の工程で穿孔冊子番号読取装置によって穿孔冊子番号を読み取る。穿孔冊子番号読取装置は、光照射器とカメラを備えている。
【００６２】
第８の工程で読み取られた穿孔冊子番号は、二値化データに変換され、第９の工程であらかじめ定められた第２の基準データと比較して、正しく穿孔されているかを穿孔冊子番号判断部によって判断する。穿孔冊子番号判断部は、穿孔冊子番号と第２の基準データとパターンマッチングを行い、穿孔が形成されているかを判断する。また、穿孔冊子番号がＯＣＲで読み取りが可能か否か、又は穿孔冊子番号が連続番号であるため、穿孔冊子番号の連続性が保たれているか等の判断を行うことも可能である。
【００６３】
第９の工程で穿孔冊子番号が正しく穿孔されていない場合に、第１０の工程で穿孔冊子番号補冊データ生成部によって穿孔冊子番号補冊データを生成する。穿孔冊子番号補冊データは冊子番号のテキストデータから成り、穿孔冊子番号補冊データファイルが自動生成される。又は、あらかじめ定められた穿孔冊子番号補冊データファイルに上書きされる。
【００６４】
第６の工程から第１０の工程によって穿孔冊子番号の穿孔冊子番号補冊データを生成する。
【００６５】
第１１の工程で冊子番号指示部からの生産対象冊子番号データをＩＣ書込読取装置に送信する。生産対象冊子番号データは、テキストデータであり、連続番号である冊子番号が保存されている。
【００６６】
第１１の工程で送信された生産対象冊子番号データを第１２の工程で受信してＩＣ書込読取装置によって冊子内のＩＣシートにＩＣ冊子番号を書き込む。このとき個人情報等の別のデータをＩＣシートに書き込むことも可能である。ＩＣ書込読取装置はＩＣの情報を読み取ることが可能な読み取り部とＩＣに情報を書き込むことが可能な書き込み部を有する。冊子に付与されたＩＣの種類によってＩＣ書込読取装置の書き込み部及び読み取り部は、非接触方式、接触方式のどちらかを選択して使用する。
【００６７】
第１２の工程でＩＣに書き込まれたＩＣ冊子番号は、第１３の工程でＩＣ書込読取装置によってＩＣ冊子番号を読み取る。
【００６８】
第１３の工程で読み取られたＩＣ冊子番号は、第１４の工程で前記生産対象冊子番号データと比較して正しく書き込まれ、正しく読み取りが可能かをＩＣ冊子番号判断部によって判断する。また、ＩＣ冊子番号は連続番号であるためＩＣ冊子番号の連続性が保たれているか等の判断を行うことも可能である。
【００６９】
第１４の工程でＩＣ冊子番号が正しく書き込まれていない場合に、第１５の工程でＩＣ冊子番号補冊データ生成部によってＩＣ冊子番号補冊データを生成する。ＩＣ冊子番号補冊データは冊子番号のテキストデータから成り、ＩＣ冊子番号補冊データファイルが自動生成される。又は、あらかじめ定められたＩＣ冊子番号補冊データファイルに上書きされる。
【００７０】
第１１の工程から第１５の工程までによってＩＣ冊子番号のＩＣ冊子番号補冊データを生成する。
【００７１】
第１６の工程で工程補冊冊子があった場合に工程冊子番号補冊データ生成部によって工程冊子番号補冊データを生成する。第１ａの工程において、生産対象冊子番号データ読取部で生産対象冊子番号データを読み取り、第１ａの工程で読み取られた生産対象冊子番号データは、第２ａの工程で冊子番号選択部によって工程冊子番号補冊データを選択して生成される。また、工程冊子番号補冊データ生成部は、第１ｂの工程において、生産対象冊子番号データ読取部で生産対象冊子番号データを読み取り、第１ｂの工程で読み取られた生産対象冊子番号データは、第２ｂの工程で冊子番号検索部によって工程冊子番号補冊データとなる冊子番号を入力して検索し、第３ｂの工程で検索結果を検索結果表示部によって表示され、第３ｂの工程で表示した検索結果から第４ｂの工程で冊子番号選択部によって工程冊子番号補冊データを選択して工程冊子番号補冊データが生成される。
【００７２】
工程冊子番号補冊データを生成する工程は、例えば、図４（ａ）に示すようにコンピュータの表示画面で行うことができる。例えば、冊子番号検索部以外は、コンピュータのマウスで操作できるため誤入力を防ぐことができる。また、図４（ｂ）に示すような工程冊子番号補冊データの履歴データをコンピュータの表示画面で行うことができる。履歴データは表示する範囲の検索を行うことができる。処理履歴の記録をとることで、処理後に再確認の必要ある場合にも、生産対象冊子番号データを開けずに（誤操作の危険がある）処理した内容を確認することができる。
【００７３】
第１７の工程で補冊データ生成部によって、印刷冊子番号補冊データ、穿孔冊子番号補冊データ、ＩＣ冊子番号補冊データ及び工程冊子番号補冊データを合成して補冊データを生成する。
【００７４】
このように第１の工程から第１７の工程までによって、連続番号からなる冊子番号が付与されるＩＣ付き冊子の補冊データ作成方法となる。
【００７５】
第１の工程から第５までの工程によって印刷冊子番号の印刷冊子番号補冊データを生成しているが、第６の工程から第１０の工程まで、又は、第１１の工程から第１５の工程までで生成しても良い。
【００７６】
また、第６の工程から第１０までの工程によって穿孔冊子番号の穿孔冊子番号補冊データを生成しているが、第１の工程から第５までの工程、又は、第１１の工程から第１５の工程までで生成しても良い。
【００７７】
また、第１１の工程から第１５の工程によってＩＣ冊子番号のＩＣ冊子番号補冊データを生成しているが、第１の工程から第５の工程、又は、６の工程から第１０の工程で生成しても良い。
【００７８】
また、上記第５の工程で印刷冊子番号補冊データを生成し、第１０の工程で穿孔冊子番号補冊データを生成し、第１５の工程でＩＣ冊子番号補冊データを生成し、第１６の工程で工程冊子番号補冊データを生成しているが、それぞれの補冊データを直接補冊データに保存しても良い。
【００７９】
連続番号からなる冊子番号が付与されるＩＣ付き冊子の補冊データ作成方法は、印刷冊子番号補冊データ、穿孔冊子番号補冊データ、ＩＣ冊子番号補冊データ及び工程冊子番号補冊データは、最初に補冊データが発生した場合に個々の冊子番号補冊データファイルが作成され、その後に補冊データはファイルに追記される。また、あらかじめ個々の冊子番号補冊データファイルを作成しておき、補冊データが発生した場合に追記する方式でもよい。印刷冊子番号、穿孔冊子番号及びＩＣ冊子番号のＩＣ付き冊子へ形成する順番は特に限定されるものではない。また、印刷冊子番号、穿孔冊子番号及びＩＣ冊子番号の読み取る順番は特に限定されるものではない。さらに、印刷冊子番号補冊データファイル、穿孔冊子番号補冊データファイル及びＩＣ冊子番号補冊データファイルを生成する順番は特に限定されるものではない。搬送ライン上では補冊対象となる冊子が検出され次第、印刷冊子番号補冊データファイル、穿孔冊子番号補冊データファイル及びＩＣ冊子番号補冊データファイルに追記される。
【００８０】
（補冊データ作成プログラム）
連続番号からなる冊子番号が付与されるＩＣ付き冊子の補冊データ作成プログラムについて説明する。補冊データ作成プログラムは、図６を用いて説明する。第１のステップで冊子番号指示部からの生産対象冊子番号データを冊子番号印字装置に送信する。生産対象冊子番号データはテキストデータであり、連続番号である冊子番号が保存されている。
【００８１】
第１のステップで送信された生産対象冊子番号データを第２のステップで受信して冊子番号印字装置によって印刷冊子番号を印字する。
【００８２】
第２のステップで冊子に印字した印刷冊子番号は、第３のステップで印刷冊子番号読取装置によって印刷冊子番号を読み取る。印刷冊子番号読取装置は、光照射器とカメラを備えている。
【００８３】
第３のステップで読み取られた印刷冊子番号は、二値化データに変換され、第４のステップであらかじめ定められた第１の基準データと比較して正しく印刷されているかを印刷冊子番号判断部によって判断する。印刷冊子番号判断部は、印刷冊子番号がＯＣＲで読み取りが可能か否か、又は印刷冊子番号が連続番号であるため、印刷冊子番号の連続性が保たれているか等の判断を行う。
【００８４】
第４のステップで印刷冊子番号が正しく印刷されていない場合に、第５のステップで印刷冊子番号補冊データ生成部によって印刷冊子番号補冊データを生成する。印刷冊子番号補冊データは冊子番号のテキストデータからなり、印刷冊子番号補冊データファイルが自動生成される。または、あらかじめ定められた印刷冊子番号補冊データファイルに上書きされる。
【００８５】
第１のステップから第５のステップまでによって印刷冊子番号の印刷冊子番号補冊データを生成する。
【００８６】
第６のステップで冊子番号指示部からの生産対象冊子番号データを冊子番号穿孔装置に送信する。生産対象冊子番号データはテキストデータであり、連続番号である冊子番号が保存されている。
【００８７】
第６のステップで送信した生産対象冊子番号データを第７のステップで受信して冊子番号穿孔装置によって穿孔冊子番号を穿孔する。穿孔の形態については前述したとおりである。冊子番号穿孔装置はレーザ加工部を備えている。
【００８８】
第７のステップで冊子に穿孔された穿孔冊子番号は、第８のステップで穿孔冊子番号読取装置によって穿孔冊子番号を読み取る。穿孔冊子番号読取装置は、光照射器とカメラを備えている。
【００８９】
第８のステップで読み取られた穿孔冊子番号は、二値化データに変換され、第９のステップであらかじめ定められた第２の基準データと比較して、正しく穿孔されているかを穿孔冊子番号判断部によって判断する。穿孔冊子番号判断部は、穿孔冊子番号と第２の基準データとパターンマッチングを行い、穿孔が形成されているかを判断する。また、穿孔冊子番号がＯＣＲで読み取りが可能か否か、穿孔冊子番号が連続番号であるため穿孔冊子番号の連続性が保たれているか等の判断を行うことも可能である。
【００９０】
第９のステップで穿孔冊子番号が正しく穿孔されていない場合に、第１０のステップで穿孔冊子番号補冊データ生成部によって穿孔冊子番号補冊データを生成する。穿孔冊子番号補冊データは冊子番号のテキストデータから成り、穿孔冊子番号補冊データファイルが自動生成される。又は、あらかじめ定められた穿孔冊子番号補冊データファイルに上書きされる。
【００９１】
第６のステップから第１０のステップまでによって穿孔冊子番号の穿孔冊子番号補冊データを生成する。
【００９２】
第１１のステップで冊子番号指示部からの生産対象冊子番号データをＩＣ書込読取装置に送信する。生産対象冊子番号データは、テキストデータであり、連続番号である冊子番号が保存されている。
【００９３】
第１１のステップで送信した生産対象冊子番号データを、第１２のステップで受信して、ＩＣ書込読取装置によって冊子内のＩＣシートにＩＣ冊子番号を書き込む。このとき個人情報等の別のデータをＩＣシートに書き込むことも可能である。ＩＣ書込読取装置はＩＣの情報を読み取ることが可能な読み取り部とＩＣに情報を書き込むことが可能な書き込み部を有する。冊子に付与されたＩＣの種類によってＩＣ書込読取装置の書き込み部及び読み取り部は、非接触方式、接触方式のどちらかを選択して使用する。
【００９４】
第１２のステップでＩＣに書き込まれたＩＣ冊子番号は、第１３のステップでＩＣ書込読取装置によってＩＣ冊子番号を読み取る。
【００９５】
第１３のステップで読み取られたＩＣ冊子番号は、第１４のステップで前記生産対象冊子番号データと比較して、正しく書き込まれ、又は正しく読み取れるかをＩＣ冊子番号判断部によって判断する。また、ＩＣ冊子番号は連続番号であるためＩＣ冊子番号の連続性が保たれているか等の判断を行うことも可能である。
【００９６】
第１４のステップでＩＣ冊子番号が正しく書き込まれていない場合に、第１５のステップでＩＣ冊子番号補冊データ生成部によってＩＣ冊子番号補冊データを生成する。ＩＣ冊子番号補冊データは、冊子番号のテキストデータからなり、ＩＣ冊子番号補冊データファイルが自動生成される。又は、あらかじめ定められたＩＣ冊子番号補冊データファイルに上書きされる。
【００９７】
第１１のステップから第１５のステップまでによってＩＣ冊子番号のＩＣ冊子番号補冊データを生成する。
【００９８】
第１６のステップで工程補冊冊子があった場合に工程冊子番号補冊データ生成部によって工程冊子番号補冊データを生成する。図７に示すように第１ａのステップで生産対象冊子番号データ読取部において、生産対象冊子番号データを読み取り、第１ａのステップで読み取った生産対象冊子番号データは、第２ａのステップで冊子番号選択部によって工程冊子番号補冊データを選択して生成される。また、図８に示すように工程冊子番号補冊データ生成部は、第１ｂのステップにおいて、生産対象冊子番号データ読取部で生産対象冊子番号データを読み取り、第１ｂのステップで読み取られた生産対象冊子番号データは、第２ｂのステップで冊子番号検索部によって工程冊子番号補冊データとなる冊子番号を入力して検索し、第３ｂのステップで検索結果を検索結果表示部によって表示され、第３ｂのステップで表示された検索結果から第４ｂのステップで冊子番号選択部によって工程冊子番号補冊データを選択して工程冊子番号補冊データが生成される。
【００９９】
工程冊子番号補冊データを生成する工程は、例えば、図４（ａ）に示すようにコンピュータの表示画面で行うことができる。例えば冊子番号検索部以外はコンピュータのマウスで操作できるため誤入力を防ぐことができる。また、図４（ｂ）に示すような工程冊子番号補冊データの履歴データをコンピュータの表示画面で行うことができる。履歴データは表示する範囲の検索を行うことができる。処理履歴の記録をとることで、処理後に再確認の必要ある場合にも、生産対象冊子番号データを開けずに（誤操作の危険がある）処理した内容を確認できる。
【０１００】
第１７のステップで補冊データ生成部によって、印刷冊子番号補冊データ、穿孔冊子番号補冊データ、ＩＣ冊子番号補冊データ及び工程冊子番号補冊データを合成して補冊データを生成する。
【０１０１】
このように第１のステップから第１７のステップまでによって、連続番号からなる冊子番号が付与されるＩＣ付き冊子の補冊データ作成プログラムとなる。
【０１０２】
第１のステップから第５のステップまでによって印刷冊子番号の印刷冊子番号補冊データを生成しているが、第６のステップから第１０のステップ、又は、第１１のステップから第１５のステップまでで生成しても良い。
【０１０３】
また、第６のステップから第１０のステップまでによって穿孔冊子番号の穿孔冊子番号補冊データを生成しているが、第１のステップから第５のステップ、又は、第１１のステップから第１５のステップまでで生成しても良い。
【０１０４】
また、第１１のステップから第１５のステップまでによってＩＣ冊子番号のＩＣ冊子番号補冊データを生成しているが、第１のステップから第５のステップ、又は、第６のステップから第１０のステップまでで生成しても良い。
【０１０５】
なお、上記第５のステップで印刷冊子番号補冊データを生成し、第１０のステップで穿孔冊子番号補冊データを生成し、第１５のステップでＩＣ冊子番号補冊データを生成し、第１６のステップで工程冊子番号補冊データを生成しているが、それぞれの補冊データを直接補冊データに保存しても良い。
【０１０６】
連続番号からなる冊子番号が付与されるＩＣ付き冊子の補冊データ作成プログラムは、印刷冊子番号補冊データ、穿孔冊子番号補冊データ、ＩＣ冊子番号補冊データ及び工程冊子番号補冊データは、最初に補冊データが発生した場合に個々の冊子番号補冊データファイルを作成し、その後に補冊データはファイルに追記される。また、あらかじめ個々の冊子番号補冊データファイルを作成しておき、補冊データが発生した場合に追記する方式でもよい。印刷冊子番号、穿孔冊子番号及びＩＣ冊子番号のＩＣ付き冊子へ形成する順番は特に限定されるものではない。また、印刷冊子番号、穿孔冊子番号及びＩＣ冊子番号の読み取る順番は特に限定されるものではない。さらに、印刷冊子番号補冊データファイル、穿孔冊子番号補冊データファイル及びＩＣ冊子番号補冊データファイルを生成する順番は特に限定されるものではない。搬送ライン上では補冊対象となる冊子が検出され次第、印刷冊子番号補冊データファイル、穿孔冊子番号補冊データファイル及びＩＣ冊子番号補冊データファイルに追記される。
【０１０７】
なお、良品と判断されなかったＩＣ付き冊子は、工程中に不良冊子排出部に排紙され、ダミー冊子が挿入される。ダミー冊子が挿入されることで、冊子集積部に集積されたＩＣ付き冊子のうち、不良の冊子が容易に判断することができ、差し替え可能となる。
【図面の簡単な説明】
【０１０８】
【図１】ＩＣ付き冊子１を示す図である。
【図２】連続番号からなる冊子番号が付与されるＩＣ付き冊子の補冊データ作成システム１１ａを示す図である。
【図３】工程冊子番号補冊データ生成部を示す図である
【図４】工程冊子番号補冊データ生成部のコンピュータの表示画面の一例を示す図である。
【図５】連続番号からなる冊子番号が付与されるＩＣ付き冊子の補冊データ作成システム１１ｂを示す図である。
【図６】補冊データ作成プログラムのフロー図である。
【図７】工程冊子番号補冊データ生成部のフロー図である。
【図８】工程冊子番号補冊データ生成部のフロー図である。
【符号の説明】
【０１０９】
１  ＩＣ付き冊子
２  データページ
３  印刷冊子番号
４  中味用紙
５  穿孔冊子番号
６  微細な穿孔
７  ＩＣシート
８  ＩＣ冊子番号
１１ａ、１１ｂ  補冊データ作成システム
１２、１２ａ、１２ｂ、１２ｃ、１２ｄ、１２ｅ  コンピュータ
１３  冊子番号印字装置
１４  印刷冊子番号読取装置
１５  冊子番号穿孔装置
１６  穿孔冊子番号読取装置
１７  ＩＣ書込読取装置
１８  搬送手段
１０１  冊子番号指示部
１０２  印刷冊子番号判断部
１０３  印刷冊子番号補冊データ生成部
１０４  穿孔冊子番号判断部
１０５  穿孔冊子番号補冊データ生成部
１０６  ＩＣ冊子番号判断部
１０７  ＩＣ冊子番号補冊データ生成部
１０８  工程冊子番号補冊データ生成部
１０８−ａ、１０８−ａ１  生産対象冊子番号データ読取部
１０８−ｂ  冊子番号選択部
１０８-ａ２  冊子番号検索部
１０８−ａ３  検索結果表示部
１０８−ｂ  冊子番号選択部
１０９  補冊データ生成部
２０１  生産対象冊子番号データ
２０２  印刷冊子番号補冊データ
２０３  穿孔冊子番号補冊データ
２０４  ＩＣ冊子番号補冊データ
２０５  工程冊子番号補冊データ
２０６  補冊データ
３０１  表示手段
３０２  メモリ
３０３  ＣＰＵ
３０４  マウス
３０５  キーボード
３０６  Ｉ／Ｏ部
【図１】
2008059495.tif 000003
【図２】
2008059495.tif 000004
【図３】
2008059495.tif 000005
【図４】
2008059495.tif 000006
【図５】
2008059495.tif 000007
【図６】
2008059495.tif 000008
【図７】
2008059495.tif 000009
【図８】
2008059495.tif 000010